(57)【特許請求の範囲】
【請求項１】
バルコニーの床組みの隅部に斜行して架け渡される火打ちを備えたバルコニーであって、
前記火打ちの端部を長さ調整可能に連結する断面コ状状の形材からなる連結部と、
当該火打ちの旋回を可能とする円板状の取付部とが一体構造の取付部材を有し、当該バルコニーの間口、出幅の違いに応じた、前記火打ちの取付角度の変化に伴うねじ穴の位置の位相変化に対応して当該火打ちの旋回を許容するように、前記取付部に複数の長穴形状のねじ穴を当該取付部の旋回中心のねじ孔について対称的に周方向に形成し、
バルコニーの床組を構成する妻ばりまたはけたに対して、前記取付部をねじで直接固定するようにしたことを特徴とするバルコニー。
【発明の詳細な説明】
【０００１】
【発明の属する技術分野】
本発明は、バルコニーに係り、特に、バルコニーの床を補強するために床組みの隅部に斜行するように架け渡される火打ちをバルコニーの出幅のサイズに依存せず汎用的に取り付けられるようにしたバルコニーに関する。
【０００２】
【従来の技術】
近年の住宅では、躯体の壁から外に張り出すようにバルコニーを設けたもの多くなっている。この種のバルコニーには、柱でバルコニーを支持する柱建て式のバルコニー、屋根上にデッキを設置する屋根置き式のバルコニー、庭置き式のバルコニーなどがある。
【０００３】
ニーの組み立ての順序を説明する図である。
図５、図６において、参照符号１２は、バルコニーを左右両側で支持する主柱を示し、１３は、主柱１２、１２の間に配置される中柱である。図６（ａ）に示すように、これらの主柱１２、１２と中柱１３にはけた１４が架け渡され、またそれぞれ主柱１２、１２には、このけた１４と直角な方向に妻ばり１５、１５が連結されている。中柱１３には、妻ばり１５、１５と平行に連結根太１６が架設されている。根太掛け１７は、妻ば１５、１５の端部にけた１４と平行に架け渡されるようになっている。
【０００４】
次いで、図６（ｂ）に示されるように、けた１４と根太掛け１７を架け渡すようにして、複数本の根太１８が所定の間隔で平行に取り付けられている。また、根太１８を取り付けた後、根太掛け１７には、根太掛けカバー１９が取り付けられる。
【０００５】
そして、図６（ｃ）に示されるように、妻ばり１５、１５と連結根太１６とに張り渡すようにして、所要枚数のデッキボード２０が取り付けられる。このデッキボード２０の表面には、水を排水するための溝２１が長手方向に形成され、水が妻ばり１５、１５あるいは連結根太１６に導かれるようになっている。
【０００６】
こうして組み立てられたデッキには、図５に示されるように、バルコニーの正面には、前格子２２、前笠木２３からなる格子パネルが取り付けられ、バルコニー左右両側面には、それぞれ横格子パネル２４、横笠木２５からなる格子パネルが取り付けられる。
【０００７】
ここで、図７は、バルコニーの床組みの隅部を下側から示す図である。
この図７において、参照符号２６が火打ちと呼ばれる補強部材である。バルコニーは、水平に躯体から張り出す構造になっていることから、出幅が大きくなると人が床を歩くと床組が変形して揺れが大きくなるので、これを防止するために、火打ちを床組みの隅部に斜行させるように架け渡し、変形を防止する補強用の斜材としている。
【０００８】
このような火打ち２６は、図７に示すように、けた１４と妻ばり１５とがなす隅部や、けた１４と連結根太１６がなす隅部に配置され、両端をボルト、ナットで締結することにより固定されている。
【０００９】
【発明が解決しようとする課題】
バルコニーは、間口と出幅でその大きさが決まり、一般に出幅が一間以上になると、床組みの変形の変形を防止するための火打ちの重要度が高くなる。そして、出幅が大きいものバルコニーほど、出幅の寸法に対応した適正な位置に火打ち２６をしっかりと取り付ける必要がある。
【００１０】
しかしながら、従来は、バルコニーの間口と出幅の寸法が異なると、火打ち２６の取り付け位置や取り付け角度が異なってくるという問題がある。そしてバルコニーに用いられる妻ばりやけたなどの構造部材では、火打ちを取り付けるためねじ穴の周囲は、他の部分よりも肉厚に形成されるとともに、その他の部分は軽量化のために薄肉につくられるため、ねじ穴の位置に自由度がないことが取付角度の変化への対応を難しくする。このため、現場でのバルコニーの取り付け施工に際しては、バルコニーの出幅と間口に合わせて、火打ち２６に用いる形材を適当な長さものに切断した上で、バルコニーの隅部のねじ穴を使って取り付けられるようにするために火打ちの長さ、取り付け角度を調整するなどして、その取り付け作業が煩雑なものとなっていた。その据え付け現場で個々に対応しているのが現状である。
【００１１】
そこで、本発明の目的は、前記従来技術の有する問題点を解消し、間口と出幅に依存せず、寸法の異なったバルコニーに対しても汎用的に火打ちを取り付けられるようにしたバルコニーを提供することにある。
【００１２】
【課題を解決するための手段】
前記の目的を達成するために、本発明は、バルコニーの床組みの隅部に斜行して架け渡される火打ちを備えたバルコニーであって、前記火打ちの端部を長さ調整可能に連結する断面コ状状の形材からなる連結部と、当該火打ちの旋回を可能とする円板状の取付部とが一体構造の取付部材を有し、当該バルコニーの間口、出幅の違いに応じた、前記火打ちの取付角度の変化に伴うねじ穴の位置の位相変化に対応して当該火打ちの旋回を許容するように、前記取付部に複数の長穴形状のねじ穴を当該取付部の旋回中心のねじ孔について対称的に周方向に形成し、
バルコニーの床組を構成する妻ばりまたはけたに対して、前記取付部をねじで直接固定するようにしたことを特徴とするものである。
【００１３】
【発明の実施形態】
以下、本発明によるバルコニーの一実施形態について、添付の図面を参照しながら説明する。
図１は、本発明が適用される柱建て式のバルコニーの床組を示す。柱建て式のバルコニーの全体構造は、図５、図６の従来のバルコニーと同一であるので、同一の構成要素には、同一の参照符号を付して、その詳細な説明は省略する。
【００１４】
図１において、けた１４は、その両端部をけた取付金具（取付金具）３０、３０を用いて主柱１２と中柱１３に水平に取り付けられており、妻ばり１５の一端部は、妻ばり取付金具３１を用いて主柱１２に接合され、妻ばり１５とけた１４とは水平な姿勢で直交するように取り付けられている。この妻ばり１５は、けた１４側に向かって傾斜する勾配を付けるようにしてもよい。同様に、連結根太１６の一端部は、連結根太取付金具３２を用いて、中柱１３に接合され、妻ばり１５とは平行に取り付けられている。なお、図１において、参照３３は、補強のために妻ばり１５とけた１４の隅部、およびけた１４と連結根太１６の隅部に斜めに架け渡される火打ちを示している。
【００１５】
この火打ち３３は、図２に示すような、火打ち取付金具３６を用いて妻ばり１５と、けた１４にその両端部がそれぞれ取り付けられる。この図２では、火打ち３３を火打ち取付金具３６で妻ばり１５に接合する仕方を表しているが、火打ち３３のもう一方の端部も全く同一の火打ち取付金具３６によって取り付けることができる。
【００１６】
本実施形態による火打ち取付金具３６は、火打ち３３の端部が連結される連結部３７と、この連結部３７と一体的に形成され、火打ちの取付角度に可変とする円板状の取付部３８から構成されている。連結部３７は、断面コ字状の形材で、火打ち３３と接合するためのねじ３９を通すためのねじ穴４０が底部に形成されている。なお、図示はしないが、火打ち３３には、ねじ穴を複数間隔をおいて形成することにより、火打ち３３を長さ調節可能に取り付けるようにしてもよい。
【００１７】
連結部３７は側壁部４１を介して円板状の取付部３８に連続し、この実施形態では、取付部３８は、連結部３７の底部と平行でかつ所定の段差が設定されており、取付角度を変えて取り付ける場合に、連結部３７が妻ばり１５などの構造材と干渉しないように構成されている。
【００１８】
一方、円板状の取付部３８には、その中心にねじ穴４２が形成されており、このねじ穴４２に関して対称な位置に４つの長穴形状のねじ穴４３ａ乃至４３ｄが形成されている。これらのねじ穴４３ａ乃至４３ｄは、周方向に湾曲して延びる長穴形状の穴で、火打ち３３の取付角度の変化に伴う、妻ばり１５側のねじ穴４４との相対的な位相の変化に対応可能なように、所定の長さをもって周方向に形成されている。このようなねじ穴４３ａ乃至４３ｄの数は、図２の実施形態では、４つであるが、３つあるいは４つ以上でもよい。このような取付部３８のねじ穴４３ａ乃至４３ｄと妻ばり１５のねじ穴４４には、ねじ４６が螺入され、このねじ４６を締め付けることにより、取付金具３６を妻ばり１５に固定することができる。
【００１９】
本実施形態によるバルコニーにおける火打ち取付部材は、以上のように構成されるものであり、次に、その作用並びに効果について説明する。
図３は、バルコニーの床組みにおいて、けた１４と妻ばり１５がなす隅部に火打ち３３を火打ち取付金具３６を用いて取り付けた状態を示す側面図である。火打ち３３の取り付け手順は、次の通りである。
【００２０】
まず、あらかじめ、火打ち３３の両端部には、火打ち取付部材３６の連結部３７を取付ておき、ねじ３９を軽く締めて仮止めしておく。
【００２１】
次に、火打ち３３の一方の取付金具３６の円板状の取付部３８を、例えば、けた１４に仮止めさせる。ここでは、取付部３８の中心のねじ穴４２をけた１４のねじ穴に合わせ、ねじ４６ａを螺入して軽く締めることにより、火打ち３３をねじ４６ａを中心に旋回可能なように仮り付けすることができる。
【００２２】
次いで、図２において、妻ばり１５に取り付ける方の火打ち取付金具３６を妻ばり１５に取り付けるために、まず、取付部３８の中心のねじ穴４２を妻ばり１５の中心のねじ穴４４ａに合わせておき、ねじ４６ａをこれらのねじ穴に螺入し、仮付けしてから、他のねじ穴４３ａ乃至４３ｄから妻ばり１５のねじ穴４４にねじ４４を締め込めばよい。
【００２３】
このとき、妻ばり１５に対する火打ち３３の取付角度がどのような角度であったとして、図４（ａ）、図４（ｂ）に示すように、妻ばり１５側のねじ穴４４は、取付部３８との相対的な位相は変わっても４つある長穴状のねじ穴４３ａ乃至４３ｄのうち、二つのねじ穴と必ず重なるため、ねじ４６を螺入して取り付けることができる。したがって、バルコニーの間口、出幅の寸法によって火打ち３３の取付角度が変わっても柔軟にしかも汎用的に取付金具３６を使用することができる。こうして仮止めした後は、最終的にねじを締め付けてしっかりと固定すればよい。
【００２４】
以上、本発明について、妻ばりとけたとがなす隅部に火打ちを取り付ける実施形態を挙げて説明したが、図１において、けた１４と連結根太１６とがなす隅部の火打ちの取付にも本発明を同様に適用することができる。
【００２５】
【発明の効果】
以上の説明から明らかなように、本発明によれば、バルコニーの間口と出幅の寸法に依存せず、寸法の異なったバルコニーに対しても汎用的に取り付けられるようにしたバルコニーにおける火打ち取付部材を提供することができる。
【図面の簡単な説明】
【図１】本発明によるバルコニーにおける火打ち取付部材が適用されるバルコニーの床組みを示す分解斜視図。
【図２】同火打ち取付部材の詳細な斜視図。
【図３】本発明による火打ち取付部材により取り付けた火打ちを示す側面図。
【図４】火打ちの取付角度の変化を示す説明図。
【図５】柱建て式のバルコニーの一例を示す斜視図。
【図６】柱建て式バルコニーの組み立て図。
【図７】バルコニーの従来の火打ちの取付構造を示す斜視図。
【符号の説明】
１０  バルコニー
１２  主柱
１３  中柱
１４  けた
１５  妻ばり
１６  連結根太
１８  根太
２０  デッキボード
３３  火打ち
３６  火打ち取付部材（火打ち取付金具）
３７  連結部
３８  取付部
【図１】
0003712611.tif 000002
【図２】
0003712611.tif 000003
【図３】
0003712611.tif 000004
【図４】
0003712611.tif 000005
【図５】
0003712611.tif 000006
【図６】
0003712611.tif 000007
【図７】
0003712611.tif 000008